【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
サブフレームのアップリンクパイロットタイムスロット(UpPTS)において送信すべき物理アップリンク共有チャネル(PUSCH)を特定するステップと、
前記UEのレイテンシ低減能力に少なくとも一部基づいて前記UpPTSにおいて前記PUSCHを送信するためのタイミングを決定するステップと、
前記決定されたタイミングに少なくとも一部基づいて前記UpPTSにおける前記PUSCH上でアップリンク制御情報(UCI)を送信するかどうかを決定するステップと、
前記UCIを送信するかどうかの前記決定に少なくとも一部基づいて前記UpPTSにおいて前記PUSCHを送信するステップとを備える、方法。
【請求項２】
前記UEの前記レイテンシ低減能力が、スケジューリングタイミング低減能力、TTI時間長低減能力、またはそれらの組合せのうちの少なくとも1つを備える、請求項1に記載の方法。
【請求項３】
前記UpPTSにおける前記PUSCHが第2のコンポーネントキャリア(CC)上で送信される間に、アップリンク送信時間間隔(TTI)が少なくとも第1のCC上で送信されるようにスケジューリングされるかどうかを決定するステップをさらに備え、
前記PUSCH上でUCIを送信するかどうかを決定するステップが、前記アップリンクTTIが少なくとも前記第1のCC上で送信されるようにスケジューリングされるかどうかに少なくとも一部基づく、請求項1に記載の方法。
【請求項４】
キャリアアグリゲーションモードで動作するときに前記UpPTSにおける前記PUSCHが送信されるようにスケジューリングされると決定するステップと、
キャリアアグリゲーションモードで動作するときに前記UpPTSにおける前記PUSCHが送信されるようにスケジューリングされるとの前記決定に少なくとも一部基づいて、前記UpPTSにおける前記PUSCH上での定期的チャネル状態情報(P-CSI)、前記UpPTSにおける前記PUSCHでの非定期的チャネル状態情報(A-CSI)、前記UpPTSにおける前記PUSCH上でのUCI、またはそれらの組合せのうちの少なくとも1つを送信しないと決定するステップ、または
前記UpPTSにおける前記PUSCHと並列に、前記UpPTSにおいて前記PUSCHを搬送しないコンポーネントキャリア(CC)上で、前記キャリアアグリゲーションモードで動作するときに前記UpPTSにおける前記PUSCHが送信されるようにスケジューリングされるとの前記決定に少なくとも一部基づいて、定期的チャネル状態情報(P-CSI)、非定期的チャネル状態情報(A-CSI)、UCI、またはそれらの組合せのうちの少なくとも1つを送信すると決定するステップ、または
前記UpPTSにおいて前記PUSCHを搬送するコンポーネントキャリア(CC)を避けるようにCCの選択を偏らせるCCの優先順位付けに少なくとも一部基づいて、UCIを送信するためのCCを選択するステップとをさらに備える、請求項1に記載の方法。
【請求項５】
前記UEが並列な物理アップリンク制御チャネル(PUCCH)およびPUSCHの送信のために構成されるかどうかを決定するステップをさらに備え、
前記PUSCH上でUCIを送信するかどうかを決定するステップが、前記UEが並列なPUCCHおよびPUSCHの送信のために構成されるどうかに少なくとも一部基づく、請求項1に記載の方法。
【請求項６】
送信時間間隔(TTI)のための第1の電力制御パラメータを特定するステップと、
前記TTIのための前記第1の電力制御パラメータに少なくとも一部基づいて、前記UpPTSにおける前記PUSCHのための第2の電力制御パラメータを決定するステップとをさらに備える、請求項1に記載の方法。
【請求項７】
ランダムアクセスプリアンブルを送信するステップと、
前記ランダムアクセスプリアンブルの送信に応答して、前記UpPTSにおける前記PUSCHをスケジューリングするランダムアクセス応答メッセージを受信するステップとをさらに備える、請求項1に記載の方法。
【請求項８】
アップリンクサブフレームにおけるPUSCHのために使用される復調参照信号(DM-RS)パターンとは異なるDM-RSパターンに少なくとも一部基づいて、前記UpPTSにおける前記PUSCHのためのDM-RSを送信するステップをさらに備える、請求項1に記載の方法。
【請求項９】
ユーザ機器(UE)におけるワイヤレス通信のための装置であって、
サブフレームのアップリンクパイロットタイムスロット(UpPTS)において送信すべき物理アップリンク共有チャネル(PUSCH)を特定するための手段と、
前記UEのレイテンシ低減能力に少なくとも一部基づいて前記UpPTSにおいて前記PUSCHを送信するためのタイミングを決定するための手段と、
前記決定されたタイミングに少なくとも一部基づいて前記UpPTSにおける前記PUSCH上でアップリンク制御情報(UCI)を送信するかどうかを決定するための手段と、
前記UCIを送信するかどうかの前記決定に少なくとも一部基づいて前記UpPTSにおいて前記PUSCHを送信するための手段とを備える、装置。
【請求項１０】
ネットワークアクセスデバイスにおけるワイヤレス通信のための方法であって、
ユーザ機器(UE)のレイテンシ低減能力に少なくとも一部基づいてアップリンクパイロットタイムスロット(UpPTS)において物理アップリンク共有チャネル(PUSCH)を送信するためのタイミングを選択するステップと、
前記選択されたタイミングに少なくとも一部基づいてサブフレームの前記UpPTSにおいて前記PUSCH上でアップリンク制御情報(UCI)の送信をスケジューリングするかどうかを決定するステップと、
前記決定に少なくとも一部基づいて前記UpPTSにおいて前記PUSCHをスケジューリングするステップと、
前記UpPTSにおける前記PUSCHのためのスケジューリング情報を前記UEに送信するステップとを備える、方法。
【請求項１１】
前記UEの前記レイテンシ低減能力に少なくとも一部基づいて、前記スケジューリング情報がその中で送信される送信時間間隔(TTI)のタイミングを選択するステップをさらに備える、請求項10に記載の方法。
【請求項１２】
ダウンリンク制御情報(DCI)を前記UEに送信するステップと、
前記DCIに含まれる情報フィールドの状態、所定の巡回冗長検査(CRC)マスクによる前記DCIを含む制御チャネルのマスキング、所定の復号候補とのアップリンクグラントの関連付け、前記DCIのサイズ、前記DCIが受信されるサブフレームの識別子、DCIフォーマット、またはそれらの組合せに少なくとも一部基づいて、前記UpPTSにおける前記PUSCHのための前記アップリンクグラントの存在を前記DCIにおいて示すステップとをさらに備える、請求項10に記載の方法。
【請求項１３】
前記スケジューリング情報のための第1のオフセットを選択するステップであって、前記第1のオフセットがアップリンクサブフレームのために選択される少なくとも1つのUCIタイプ構成のための第2のオフセットとは異なる、ステップと、
前記スケジューリング情報において前記第1のオフセットを示すステップとをさらに備える、請求項10に記載の方法。
【請求項１４】
ネットワークアクセスデバイスにおけるワイヤレス通信のための装置であって、
ユーザ機器(UE)のレイテンシ低減能力に少なくとも一部基づいてアップリンクパイロットタイムスロット(UpPTS)において物理アップリンク共有チャネル(PUSCH)を送信するためのタイミングを選択するための手段と、
前記選択されたタイミングに少なくとも一部基づいてサブフレームの前記UpPTSにおいて前記PUSCH上でアップリンク制御情報(UCI)の送信をスケジューリングするかどうかを決定するための手段と、
前記決定に少なくとも一部基づいて前記UpPTSにおいて前記PUSCHをスケジューリングするための手段と、
前記UpPTSにおける前記PUSCHのためのスケジューリング情報を前記UEに送信するための手段とを備える、装置。
【請求項１５】
コンピュータ実行可能コードを記憶するコンピュータ可読記憶媒体であって、前記コンピュータ実行可能コードが、実行されるとプロセッサに請求項1から8または10から13のいずれか一項に記載の方法を行わせる、コンピュータ可読記憶媒体。